(57)【要約】【課題】鋼管杭を利用して構成される桟橋の梁部を、現場での作業工程を可及的に低減させて、より容易且つ迅速に築造できるようにする。【解決手段】杭頭部４ａを第一のプレキャストブロック５内に受入させてこの第一のプレキャストブロック５を前記鋼管杭４の上部に固定させ、次いで、前記鋼管杭４に固定された前記第一のプレキャストブロック５の上面５ｆにボルト止めされた形鋼８と、前記第二のプレキャストブロック６の上面にボルト止めされた形鋼８とにそれぞれ、前記仮設治具７をボルト止めして隣り合う前記鋼管杭４、４間に前記第二のプレキャストブロック６を支持し、次いで、前記第一のプレキャストブロック５と前記第二のプレキャストブロック６との間に現場打ちコンクリートよりなる前記梁部３の前記中央部３ａ以外の残余部３ｂを形成する。【選択図】図６
2016011535.tif 000002
【特許請求の範囲】
【請求項１】
床版を支持する桟橋の梁部の構築方法であって、
既設の鋼管杭の杭頭部を下方から受入可能に構成された第一のプレキャストブロックと、
隣り合う前記鋼管杭間にあって前記梁部の中央部となる第二のプレキャストブロックと、
仮設治具とを用意し、
前記杭頭部を前記第一のプレキャストブロック内に受入させてこの第一のプレキャストブロックを前記鋼管杭の上部に固定させ、
次いで、前記鋼管杭に固定された前記第一のプレキャストブロックの上面にボルト止めされた形鋼と、前記第二のプレキャストブロックの上面にボルト止めされた形鋼とにそれぞれ、前記仮設治具をボルト止めして隣り合う前記鋼管杭間に前記第二のプレキャストブロックを支持し、
次いで、前記第一のプレキャストブロックと前記第二のプレキャストブロックとの間に現場打ちコンクリートよりなる前記梁部の前記中央部以外の残余部を形成することを特徴とする、桟橋の梁部の構築方法。
【請求項２】
用意される前記第一のプレキャストブロックと前記第二のプレキャストブロックとをそれぞれ、その側面から水平方向に一部を突き出す連結用棒状体を備えたものとすることを特徴とする、請求項１に記載の桟橋の梁部の構築方法。
【発明の詳細な説明】
【技術分野】
【０００１】
この発明は、桟橋を構成する床版（スラブ）を支持する梁部を、既設の鋼管杭の杭頭部を利用して容易且つ迅速に形成できるようにする構築方法に関する。
【背景技術】
【０００２】
水底ないしは水辺の地盤に打ち込まれた鋼管杭を利用して構成される桟橋がある。かかる桟橋にあっては、これを構成する床版は、前記鋼管杭の杭頭部を利用して現場打ちコンクリートによって形成される梁部（枕コンクリートなどとも称される。）により支持される。
【０００３】
特許文献１に示されるプレキャストブロックは、既設の鋼管杭の杭頭部に設置され、隣り合うプレキャストブロック間に現場打ちコンクリートによって前記梁部を形成させるものであり、現場でのコンクリートの打ち込みを必要最小限にするものである。
【先行技術文献】
【特許文献】
【０００４】
【特許文献１】特開２０１３−２１７０９０号公報
【発明の概要】
【発明が解決しようとする課題】
【０００５】
この発明が解決しようとする主たる問題点は、鋼管杭を利用して構成される桟橋の梁部を、現場での作業工程を可及的に低減させて、より容易且つ迅速に築造できるようにする点にある。
【課題を解決するための手段】
【０００６】
前記課題を達成するために、この発明にあっては、桟橋の梁部の構築方法を、床版を支持する桟橋の梁部の構築方法であって、
既設の鋼管杭の杭頭部を下方から受入可能に構成された第一のプレキャストブロックと、
隣り合う前記鋼管杭間にあって前記梁部の中央部となる第二のプレキャストブロックと、
仮設治具とを用意し、
前記杭頭部を前記第一のプレキャストブロック内に受入させてこの第一のプレキャストブロックを前記鋼管杭の上部に固定させ、
次いで、前記鋼管杭に固定された前記第一のプレキャストブロックの上面にボルト止めされた形鋼と、前記第二のプレキャストブロックの上面にボルト止めされた形鋼とにそれぞれ、前記仮設治具をボルト止めして隣り合う前記鋼管杭間に前記第二のプレキャストブロックを支持し、
次いで、前記第一のプレキャストブロックと前記第二のプレキャストブロックとの間に現場打ちコンクリートよりなる前記梁部の前記中央部以外の残余部を形成することを特徴とする、ものとした。
【０００７】
かかる構成によれば、隣り合う鋼管杭間に、仮設治具を介して、第二のプレキャストブロックを支保工を用いることなく支持することが可能となる。また、前記仮設治具を利用して、前記第一のプレキャストブロックと第二のプレキャストブロックとの間に前記残余部を形成するための型枠を支持することが可能となる。したがって、この残余部を形成するにあたっても支保工は不要となる。
【０００８】
前記用意される前記第一のプレキャストブロックと前記第二のプレキャストブロックとをそれぞれ、その側面から水平方向に一部を突き出す連結用棒状体を備えたものとしておけば、かかる連結用棒状体を前記残余部の重ね継ぎ手として機能させることができる。
【発明の効果】
【０００９】
この発明によれば、鋼管杭を利用して構成される桟橋の梁部を、現場での作業工程を可及的に低減させて、特に現場でのコンクリートの打ち込みを必要最小限にすると共に支保工を不要として、容易且つ迅速に築造することができる。
【図面の簡単な説明】
【００１０】
【図１】図１は実施の形態にかかるプレキャストブロックを既設の鋼管杭の杭頭部上に設置した状態を示した平面構成図である。
【図２】図２は図１におけるＡ−Ａ線位置での断面構成図である。
【図３】図３は図１の状態から隣り合う鋼管杭間に第二のプレキャストブロックを支持させる直前の状態を示した側面構成図である。
【図４】図４は隣り合う鋼管杭間に第二のプレキャストブロックを支持させた状態を示した側面構成図である。
【図５】図５は図４の状態を示した平面構成図であり、仮設治具の記載を省略して示している。
【図６】図６は図４の状態から梁部の残余部を形成している状態を示した側面構成図である。
【図７】図７は梁部の構築完了状態を示した平面構成図である。
【図８】図８は図７の状態から梁部上に床版主体部を敷設した状態を示した平面構成図である。
【図９】図９は図８の状態から床版の残余部分を形成させた状態を示した要部破断側面構成図である。
【発明を実施するための形態】
【００１１】
以下、図１〜図９に基づいて、この発明の典型的な実施の形態について、説明する。この実施の形態にかかる桟橋１の梁部３の構築方法は、桟橋１を構成する床版２（スラブ）を支持する梁部３を、既設の鋼管杭４の杭頭部４ａに固定されるプレキャスト鉄筋コンクリート製品（ＰＣａ）としての第一のプレキャストブロック５と、仮設治具７を用いて隣り合う前記鋼管杭４、４間に支持される前記ＰＣａとしての第二のプレキャストブロック６とを用いて、容易且つ迅速に形成できるようにするものである。特に、かかる構築方法によれば、前記梁部３を形成するにあたり、現場打ちコンクリートの打ち込みを必要最小限にすると共に、支保工を必要としない特長を有している。
【００１２】
図示の例では、前記梁部３は、二列をなすように図示しない水底ないしは水辺の地盤に打ち込まれた複数の既設の鋼管杭４、４…を利用して、構築されるものとなっている。
【００１３】
前記第一のプレキャストブロック５は、前記鋼管杭４の杭頭部４ａを下方から受入可能に構成されている。図示の例では、前記第一のプレキャストブロック５は、鋼管杭４の杭頭部４ａの受入部５ａを二箇所に備えており、桟橋１の幅方向ｘ（図１参照）において隣り合う鋼管杭４の杭頭部４ａを同時に受入して桟橋１の幅方向ｘに沿うように設置される構成となっている。すなわち、図示の例では、かかる第一のプレキャストブロック５における二箇所の受入部５ａ、５ａ間に位置される箇所が、前記桟橋１の幅方向ｘに沿った梁部３となる。図示の例では、かかる第一のプレキャストブロック５は、前記桟橋１の幅方向ｘに亘る長さを持つと共に、前記桟橋１の長さ方向ｙ（図１参照）に沿った断面を各位置において実質的に四角形とした構成となっている。
【００１４】
図示の例では、かかる第一のプレキャストブロック５における受入部５ａの形成箇所は、その余の箇所よりもやや太くなっている。また、図示の例では、前記受入部５ａを、第一のプレキャストブロック５に内蔵された鋼管５ｂによって、形成させている。図示の例では、前記鋼管５ｂは、上端及び下端を共に開放させると共に、円筒状をなす前記鋼管杭４の外径よりも内径を大きくした円筒状を呈している。鋼管５ｂの上端は第一のプレキャストブロック５の上面と同面上に位置している。
【００１５】
かかる鋼管５ｂの上端側の内側に、鋼管５ｂの中心軸に向けて突き出すスペーサー体５ｃが備えられている。図示の例では、かかるスペーサー体５ｃは、一方の側辺部５ｄを鋼管５ｂの内面に固着させた板状をなし、前記中心軸を周回する方向において９０度間隔で四カ所に設けられている（図２）。各スペーサー体５ｃはそれぞれ、その上側の水平方向の幅寸法を、その下側の水平方向の幅寸法よりも大きくした形状となっており、両者の間に前記中心軸に直交する向きの段差縁５ｅを備えている。そして、この実施の形態にあっては、鋼管５ｂ内に鋼管杭４は、その杭頭部４ａの上端が各スペーサー体５ｃの前記段差縁５ｅにそれぞれ突き当たる位置まで受け入れられるようになっている。かかるスペーサー体５ｃにより、鋼管杭４を受入した第一のプレキャストブロック５はその上面５ｆを水平に位置させて鋼管杭４上に配置されるようになっている（図２）。
【００１６】
一方、前記第二のプレキャストブロック６は、隣り合う前記鋼管杭４、４間、すなわち、隣り合う前記第一のプレキャストブロック５間にあって前記梁部３の中央部３ａとなるものとなっている。図示の例では、第二のプレキャストブロック６は、長さを有すると共に、その幅方向に沿った断面を各位置において実質的に四角形とした構成となっている。図示の例では、第二のプレキャストブロック６の長さは、前記桟橋１の長さ方向ｙにおいて隣り合う前記鋼管杭４、４間の距離よりも小さくなっている。
【００１７】
前記仮設治具７は、図示の例では、形鋼により構成されている。
【００１８】
そして、この実施の形態にかかる構築方法は、以下の三つのステップを有するものとなっている。
（第一ステップ）
前記杭頭部４ａを前記第一のプレキャストブロック５内に受入させてこの第一のプレキャストブロック５を前記鋼管杭４の上部に固定させる（図１、図２）。
（第二ステップ）
前記鋼管杭４に固定された前記第一のプレキャストブロック５の上面にボルト止めされた形鋼８と、前記第二のプレキャストブロック６の上面にボルト止めされた形鋼８とにそれぞれ、前記仮設治具７をボルト止めして隣り合う前記鋼管杭４、４間に前記第二のプレキャストブロック６を支持する（図３〜図５）。
（第三ステップ）
前記第一のプレキャストブロック５と前記第二のプレキャストブロック６との間に現場打ちコンクリートよりなる前記梁部３の前記中央部３ａ以外の残余部３ｂを形成する（図６、図７）。
【００１９】
前記第一ステップにおいては、第一のプレキャストブロック５をクレーンを用いて運び、既設の鋼管杭４の杭頭部４ａの上端が、前記スペーサー体５ｃに突き当たる位置まで、第一のプレキャストブロック５の受入部５ａに下方よりかかる杭頭部４ａを受入させる。図示の例では、このように受入部５ａに杭頭部４ａを受入させた後、受入部５ａの下側の入り口、つまり、前記鋼管５ｂの下端を漏れ止め治具９で塞ぎ、受入部５ａ内にモルタル又はコンクリートを打ち込むことで、杭頭部４ａに第一のプレキャストブロック５を固定する（図２）。なお、図２において符号４ｂで示すのは既設の鋼管杭４に対する中詰めコンクリートである。
【００２０】
前記第二ステップにおいては、第一のプレキャストブロック５の上面５ｆに形鋼８をボルト止めする。図示の例では、第一のプレキャストブロック５における受入部５ａ側方の上面に、Ｈ形鋼８ａの長さ方向が桟橋１の幅方向ｘに沿う向きでＨ形鋼８ａをボルト止めしている。具体的には、第一のプレキャストブロック５に内蔵させたインサート（図示は省略する。）に前記Ｈ形鋼８ａの下側のフランジをボルト止めする（図４）。
【００２１】
また、前記第二ステップにおいては、第二のプレキャストブロック６の上面に形鋼８をボルト止めする。図示の例では、第二のプレキャストブロック６の図４において左側に位置される端部の上面及び図４において右側に位置される端部の上面にそれぞれ、Ｈ形鋼８ａの長さ方向が桟橋１の幅方向ｘに沿う向きでＨ形鋼８ａをボルト止めしている。具体的には、第二のプレキャストブロック６に内蔵させたインサート（図示は省略する。）に前記Ｈ形鋼８ａの下側のフランジをボルト止めする。
【００２２】
また、図示の例では、前記第二ステップにおいては、第二のプレキャストブロック６の両側にそれぞれ、仮設治具７をボルト止めする。図示の例では、仮設治具７としてのＨ型鋼を二つ用意し、図４において左側に位置される仮設治具７の右端を第二のプレキャストブロック６の左側に位置される端部に固定されたＨ形鋼８ａにボルト止めすると共に、図４において右側に位置される仮設治具７の左端を第二のプレキャストブロック６の右側に位置される端部に固定されたＨ形鋼８ａにボルト止めする。これらのボルト止めは、仮設治具７としてのＨ形鋼８ａの下側のフランジと第二のプレキャストブロック６側に固定されたＨ形鋼８ａの上側のフランジとにおいてなす。このように一つの第二のプレキャストブロック６に二つの仮設治具７、７を組み合わせた状態で、第二のプレキャストブロック６をクレーンを用いて運び、隣り合う鋼管杭４の一方の上部に設置された第一のプレキャストブロック５のＨ形鋼８ａ上に左側の仮設治具７の左端を載置し、かつ、隣り合う鋼管杭４の他方の上部に設置された第一のプレキャストブロック５のＨ形鋼８ａ上に右側の仮設治具７の右端を載置し、それぞれボルト止めして固定する。これにより、隣り合う鋼管杭４間に、仮設治具７を介して、第二のプレキャストブロック６を支保工を用いることなく支持することが可能となる（図４、図５）。
【００２３】
前記第三ステップにおいては、前記仮設治具７を利用して、前記第一のプレキャストブロック５と第二のプレキャストブロック６との間に前記残余部３ｂを形成するための型枠１０を支持することが可能となる。したがって、この残余部３ｂを形成するにあたっても支保工は不要となる。図示の例では、鋼管杭４における第一のプレキャストブロック５の下面よりも下方に位置される箇所に前記型枠１０を組む作業をなすための仮設足場１２を設けるようにしている。図中符号１１は型枠１０を構成するコンパネを仮設治具７に支持させるためのセパレーターである。
【００２４】
この実施の形態にあっては、前記第一のプレキャストブロック５と前記第二のプレキャストブロック６とはそれぞれ、その側面から水平方向に一部を突き出す連結用棒状体５ｇを備えている。かかる連結用棒状体５ｇは、この第一のプレキャストブロック５及び第二のプレキャストブロック６に一端側を埋設させた鋼棒などにより、あるいは、この第一のプレキャストブロック５及び第二のプレキャストブロック６を構成する鉄筋の一部により、構成させることができる。
【００２５】
図示の例では、第一のプレキャストブロック５の側面から突き出す連結用棒状体５ｇと、第二のプレキャストブロック６の端面から突き出す連結用棒状体５ｇとにより、前記型枠内において重ね継ぎ手を構成させるようにしている。
【００２６】
図示の例では、桟橋１の長さ方向ｙにおいて隣り合う鋼管杭４の間にそれぞれ、前記のように第二のプレキャストブロック６を支持させると共に、第一のプレキャストブロック５と第二のプレキャストブロック６との間に前記のように残余部３ｂを形成させることで、桟橋１の梁部３が構築される。前記残余部３ｂの養生後、前記型枠１０、仮設治具７、型鋼８が撤去され、梁部３上に床版２が敷設されて桟橋１が構築される。
【００２７】
なお、この実施の形態にあっては、前記桟橋１の外郭は、前記鋼管杭４の杭頭部４ａ間に直接的に亘るように形成される梁部３よりもやや細い梁部３’によって構成されているが、この外郭を構成する梁部３’も第二のプレキャストブロック５からなる中央部３ａと現場打ちコンクリートからなる残余部３ｂとから構成され、前記仮設治具７を用い、支保工を用いることなく形成される。
【００２８】
また、この実施の形態にあっては、前記床版２は、前記ＰＣａとしての床版主体部２ａと、現場打ちコンクリートにより構成される残余部分２ｂとから構成されている。床版主体部２ａは四角形の盤状をなす。各床版主体部２ａは、前記桟橋１の幅方向ｘの梁部３（第一のプレキャストブロック５から構成）と前記桟橋１の長さ方向ｙの梁部３（中央部３ａと残余部３ｂから構成）との間に形成された空間ｓよりもやや大きい外郭形状を有しており、床版主体部２ａの縁部２ａ’を第一のプレキャストブロック５の上面５ｆの縁部及び梁部３、３’の上面の縁部にオーバラップさせた状態で、前記梁部３上に敷設され前記空間ｓを塞ぐ（図８）。この実施の形態にあっては、このように前記梁部３上に床版主体部２ａを敷設させた後、隣り合う床版主体部２ａ、２ａの間及び前記やや細い梁部３’の上面上に前記残余部分２ｂを形成させている（図９）。床版主体部２ａに前記残余部分２ｂの形成空間内に突き出す図示しない鉄筋を備えさせ、かつ、第一のプレキャストブロック５及び第二のプレキャストブロック６に前記形成空間内に突き出す図示しない鉄筋を備えさせ、これらの鉄筋が前記残余部分２ｂ内の重ね継ぎ手を構成するようにして前記残余部分２ｂを形成する。これにより、梁部３と床版２との一体性が高められると共に、この残余部分２ｂの形成にあたっても支保工は不要とされる。
【００２９】
なお、当然のことながら、本発明は以上に説明した実施態様に限定されるものではなく、本発明の目的を達成し得るすべての実施態様を含むものである。
【符号の説明】
【００３０】
３  梁部
３ａ  中央部
３ｂ  残余部
４  鋼管杭
４ａ  杭頭部
５  第一のプレキャストブロック
５ｆ  上面
６  第二のプレキャストブロック
７  仮設治具
８  形鋼
【図１】
2016011535.tif 000003
【図２】
2016011535.tif 000004
【図３】
2016011535.tif 000005
【図４】
2016011535.tif 000006
【図５】
2016011535.tif 000007
【図６】
2016011535.tif 000008
【図７】
2016011535.tif 000009
【図８】
2016011535.tif 000010
【図９】
2016011535.tif 000011